(57)【要約】      （修正有）【課題】カイロの貼る・貼らないのタイプに関わらず装着でき、着用時に動作を極力妨げず、着用した状態でも簡単に着脱できる防寒手袋を提供する。【解決手段】手袋の甲側の部分に、全面開放してカイロを装着できる様に以下の３部材により構成する。部材１はＦのカイロの挟み布で、カイロ密着用カバーＣの裏側に、ＭＰ関節側の一辺のみを縫合して取付けており全面開放できるため、貼るタイプのカイロでも簡単に装着できる。部材２はカイロ密着用カバーで、手袋本体Ａに甲部親指側の一辺のみ縫合したもの。部材３はＢのカバー固定バンドで、手袋本体に甲部小指側の一辺のみ縫合したもので裏側に縫合した面ファスナーＤでカイロ密着用カバーを固定する。以上の３部材により、ＭＰ関節側と甲の両サイドの３方向からカイロを包み込むように甲部分に一体固定する。【選択図】図４
0003233668.tif 000002
【実用新案登録請求の範囲】
【請求項１】
手袋本体の甲部分に、挟み布と片面に「マジックテープ」（登録商標）を付けた密着カバーと、更に同様にマジックテープを付けた固定バンドの、３片の部材の各々の一辺のみを縫合し、３部材で使い捨てカイロをＭＰ関節側と、甲の両サイド側の３方向から包み込み一体固定することで、カイロ装着部の全面開放を可能としたところを特徴とする使い捨てカイロ装着用防寒手袋
【考案の詳細な説明】
【技術分野】
【０００１】  本考案は手袋の甲部分に、手袋を着用した状態で、使い捨てカイロ（以下カイロと言う）の貼るタイプ・貼らないタイプの両タイプの着脱が可能となる装着部を設けた防寒用手袋に関するものである。
【背景技術】
【０００２】  従来より種々の防寒手袋が考案されているが、冬日等の作業やスポーツ等において、発熱源を組入れた物で且つ、着用時に腕・手首・指等の動きを妨げず保温効果を維持できるものが望まれていた。
【先行技術文献】
【特許文献】
【０００３】
【特許文献１】実登３０３３１６
【考案の概要】
【考案が解決しようとする課題】
【０００４】  すでに手の甲部分に物を入れるタイプの手袋はあるが、挿入部が袋状のポケット構造となっており、腕の動きで挿入物が動き片寄が発生する他、挿入部の突起が大きく動作に支障が生じる。また、挿入口が手の甲のサイド側や手首側となっており、手袋を着用しない状態でも貼るタイプのカイロの装着は困難である。従って、手袋着用時に動作に極力支障を及ぼさないよう装着部の厚さを抑え、手袋着用状態でも簡単に貼るタイプのカイロでも装着可能な装着部の構造とする事で問題点を解決しようとするものである。
【課題を解決するための手段】
【０００５】  本考案は動作に支障を及ぼさない様、手袋の甲のＭＰ関節から手首までの部分カイロを装着することに特化する事で極力厚さを抑えると共に、貼るタイプのカイロでも手袋の着用状態で、簡単に装着するために全面開放できる装着部を設ける。そこで、部材１のカイロを挟み込む布と、部材２の「マジックテープ」（登録商標）を付けた密着用カバーでカイロを押さえ込み、これを部材３のマジックテープを付けた固定バンドで一体固定する。この３部材で３方向から包み装着固定することにより問題を解決している。
【考案の効果】
【０００６】  上記のように使い捨てカイロ装着用防寒手袋は、手袋着用状態でカイロの着脱が簡単にできる。また、手袋のフィット感も高まりカイロ装着部の厚さも抑えられる他、カイロの移動片寄もなく常に手の甲を温め指の血行が促される為、極寒時の屋外での作業やスポーツ、釣り等において指のかじかみや痛みを抑えられる。特に果樹剪定時の枝間等の狭い隙間での作業で手先を使う場合に手袋が支障となることが抑えられる。
【図面の簡単な説明】
【０００７】
【図１】  本考案の使い捨てカイロ装着用防寒手袋の左手甲側正面図
【図２】  本考案の図１のカバー固定バンドを開いた正面図
【図３】  本考案の図２のカイロ密着用カバーを開いた正面図
【図４】  本考案の図３のカイロ挟み布を開いた状態の概要図
【図５】  本考案の類似案、図２のカイロ密着用カバーを開いた状態の正面図
【図６】  本考案の類似案、図５のカイロ挟み布を開いた状態の概要図
【考案を実施するための形態】
【０００８】  本考案は、手袋本体の甲の部分にカイロを装着固定するものであり、カイロを３方向から包み込むことで装着部を全面開放できるため、一辺のみ縫合した布でカイロを挟み込むように装着し、表側にマジックテープを縫合した密着用カバーで、その全体を覆い押さえ込む。更に、そのカバーをマジックテープを裏側に縫合した固定バンドで、一体固定するものである。
【実施例】
【０００９】  以下、図１より添付図面に従って実施例を説明する。Ｂは手袋本体に、小指側の一辺のみ縫合したカバー固定バンドであり、Ｃは同様に手袋本体に、親指側の一辺のみ縫合したカイロ部全体を覆う密着用カバーであり、このＢとＣを重ね合わせることでカイロが手の甲部分に一体固定される。【００１０】  Ｄはカバー固定バンドの裏側に、周囲を縫合して取付けたマジックテープで、Ｅのカイロ密着用カバーの表側にも、マジックテープが周囲を縫合して取付けてある。【００１１】  Ｆはカイロ挟み布でカイロ密着用カバーＣの裏側に、ＭＰ関節側の一辺のみ縫合して取付けており全面開放できるため、貼るタイプのカイロでも簡単に装着できる【００１２】  図５及び図６のＧはカイロ挟み布で、図３及び図４に代わり、カイロ挟み布Ｆの取付け場所のみを、カイロ密着用カバーＣから手袋本体Ａの甲部分に変え、ＭＰ関節側の一辺のみ縫合し取付けたもので、他の部分での先の形態・機能・効果等の記載に相違点は特にない。
【符号の説明】
【００１３】Ａ  手袋本体
Ｂ  カバー固定バンド
Ｃ  カイロ密着用カバー
Ｄ  マジックテープ
Ｅ  マジックテープ
Ｆ  カイロ挟み布
Ｇ  カイロ挟み布
【図１】
0003233668.tif 000003
【図２】
0003233668.tif 000004
【図３】
0003233668.tif 000005
【図４】
0003233668.tif 000006
【図５】
0003233668.tif 000007
【図６】
0003233668.tif 000008
【手続補正書】
【提出日】令和3年5月11日(2021.5.11)
【手続補正１】
【補正対象書類名】実用新案登録請求の範囲
【補正対象項目名】請求項１
【補正方法】変更
【補正の内容】
【請求項１】
手袋本体の甲部分に、挟み布と片面に面ファスナーを付けた密着カバーと、更に同様に面ファスナーを付けた固定バンドの、３片の部材の各々の一辺のみを縫合し、３部材で使い捨てカイロをＭＰ関節側と、甲の両サイド側の３方向から包み込み一体固定することで、カイロ装着部の全面開放を可能としたところを特徴とする使い捨てカイロ装着用防寒手袋。
【手続補正２】
【補正対象書類名】明細書
【補正対象項目名】０００５
【補正方法】変更
【補正の内容】
【０００５】  本考案は動作に支障を及ぼさない様、手袋の甲のＭＰ関節から手首までの部分カイロを装着することに特化する事で、極力厚さを抑えると共に貼るタイプのカイロでも手袋の着用状態で、簡単に装着するために全面開放できる装着部を設ける。そこで、部材１のカイロを挟み込む布と、部材２の面ファスナーを付けた密着用カバーでカイロを押さえ込み、これを部材３の面ファスナーを付けた固定バンドで一体固定する。この３部材で３方向から包み装着固定することにより問題を解決している。
【手続補正３】
【補正対象書類名】明細書
【補正対象項目名】０００８
【補正方法】変更
【補正の内容】
【０００８】  本考案は、手袋本体の甲の部分にカイロを装着固定するものであり、カイロを３方向から包み込むことで装着部を全面開放できるため、一辺のみ縫合した布でカイロを挟み込むように装着し、表側に面ファスナーを縫合した密着用カバーで、その全体を覆い押さえ込む。更に、そのカバーを面ファスナーを裏側に縫合した固定バンドで、一体固定するものである。
【手続補正４】
【補正対象書類名】明細書
【補正対象項目名】００１０
【補正方法】変更
【補正の内容】
【００１０】  Ｄはカバー固定バンドの裏側に、周囲を縫合して取付けた面ファスナーで、Ｅのカイロ密着用カバーの表側にも、面ファスナーが周囲を縫合して取付けてある。
【手続補正５】
【補正対象書類名】明細書
【補正対象項目名】００１３
【補正方法】変更
【補正の内容】
【００１３】Ａ    手袋本体
Ｂ    カバー固定バンド
Ｃ    カイロ密着用カバー
Ｄ    面ファスナー
Ｅ    面ファスナー
Ｆ    カイロ挟み布
Ｇ    カイロ挟み布